(57)【要約】コンパクトディスク等のＡＶＤＤＭ（オーディオビジュアルデータ配布可能メディア）（３２）へデジタルコンテンツデータを記録するための方法。該方法は、固有の識別子（３６）をＡＶＤＤＭ（３２）へ割当てること（３１４）、この固有識別子（３６）を使用して該ＡＶＤＤＭに固有のデジタルコンテンツデータ（２２）中の複数のデータエラー及び／又はフォーマット変更を生成すること（３１８）、及びデータエラー及び／又はフォーマット変更を組み込んだデジタルコンテンツデータをＡＶＤＤＭ（３２）へ記録すること（３２８、３３０）を含む。データエラー及び／又はフォーマット変更は、各ＡＶＤＤＭ（３２）に固有の著作権保護マップ（４４）に記憶されている。本方法によって作成されたＡＶＤＤＭは、著作権保護マップ（４４）を著作権で保護されたデータと組み合わせることによって読まれ、オリジナルのデジタルデータコンテンツが形成される。
2005527058.tif 000002
【特許請求の範囲】
【請求項１】
デジタルコンテンツデータをＡＶＤＤＭ（オーディオビジュアルデータ配布可能メディア）へ記録するための方法であって、
固有の識別子をＡＶＤＤＭへ割当てること、
この固有識別子を使用して、該ＡＶＤＤＭに固有のデジタルコンテンツデータ中の複数のデータエラー及び／又はフォーマット変更を生成すること、及び
データエラー及び／又はフォーマット変更を組み込んだデジタルコンテンツデータをＡＶＤＤＭへ記録することを含む方法。
【請求項２】
記録ステップは、データエラー及び／又はフォーマット変更を組み込んだデジタルコンテンツデータを固有識別子と共にＡＶＤＤＭへ記録することを含む、請求項１に記載の方法。
【請求項３】
使用ステップは、固有識別子をシード（seed）として擬似乱数発生器へ入力すること、及び記録ステップで使用するための、ランダムなデータエラー及び／又はフォーマット変更のセットを生成することを含む、請求項１又は２に記載の方法。
【請求項４】
フォーマット変更は、ＡＶＤＤＭに記録されるコンテンツのアイテム間の間隔の変更を含む、前記請求項の何れかに記載の方法。
【請求項５】
フォーマット変更は、ＡＶＤＤＭに記録されるコンテンツの１つ以上のデジタルセッションの長さの変更を含む、前記請求項の何れかに記載の方法。
【請求項６】
フォーマット変更は、ＡＶＤＤＭに記録されるコンテンツのデジタルセッションに対しての付加的な少なくとも１つのデータファイルを含む、前記請求項の何れかに記載の方法。
【請求項７】
ＡＶＤＤＭに記録されるデジタルコンテンツデータのフォーマット及びコンテンツを記述する索引ファイルを編集することを更に含み、記録ステップは、索引ファイルをＡＶＤＤＭへ記録することを更に含む、前記請求項の何れかに記載の方法。
【請求項８】
デジタルコンテンツデータの中の固有の複数のデータエラー及び／又はフォーマット変更を識別するための著作権保護マップを生成することを更に含み、記録ステップは、著作権保護マップをＡＶＤＤＭへ記録することを更に含む、前記請求項の何れかに記載の方法。
【請求項９】
生成ステップは、複数のデータエラー及び／又はフォーマット変更をリストした著作権保護マップを生成することを含む、請求項８に記載の方法。
【請求項１０】
生成ステップは、複数のデータエラー及び／又はフォーマット変更のリストを生成するための複数の発生ルーチンを含む著作権保護マップを生成することを含む、請求項８に記載の方法。
【請求項１１】
記録ステップは、コンバイナプログラムをＡＶＤＤＭへ記録することを含み、該コンバイナプログラムは、著作権保護マップを、データエラー及び／又はフォーマット変更を組み込んだデジタルコンテンツデータと組み合わせ、データエラーを除去すること及び／又はフォーマット変更に適応することによって、再生のためのオリジナルのデジタルコンテンツデータを生成するために使用されるように構成されている、請求項８から請求項１０に記載の方法。
【請求項１２】
コンバイナプログラムは、生成されたオリジナルのデジタルコンテンツデータを、再生装置に特有で且つ該装置によってサポートされているデータフォーマットへ変換するように構成されている、請求項１１に記載の方法。
【請求項１３】
コンバイナプログラムは、オリジナルコンテンツデータを、従来のパーソナルコンピュータで、該パーソナルコンピュータ上にコンテンツデータを記憶させる必要なしに再生できるように構成されている、請求項１１又は１２に記載の方法。
【請求項１４】
固有識別子を暗号化することを更に含み、記録ステップは、暗号化された識別子をＡＶＤＤＭへ記録することを含む、前記請求項の何れかに記載の方法。
【請求項１５】
著作権保護マップを暗号化することを更に含み、記録ステップは、著作権保護マップをＡＶＤＤＭへ記録することを含む、請求項８から１３の何れかに従属する請求項１４に記載の方法。
【請求項１６】
暗号化キーを使って暗号化ステップを実行し、この暗号化キーを後で使うために記憶することを更に含む、請求項１４又は１５に記載の方法。
【請求項１７】
デジタルコンテンツデータをＡＶＤＤＭへ記録する前に、圧縮アルゴリズムを使ってデジタルコンテンツデータを圧縮することを更に含む、前記請求項の何れかに記載の方法。
【請求項１８】
前記請求項の何れかに記載の方法によって作成されたＡＶＤＤＭ（オーディオビジュアルデータ配布可能メディア）。
【請求項１９】
ＡＶＤＤＭ（オーディオビジュアルデータ配布可能メディア）であって、
ＡＶＤＤＭに対しての固有識別子と、
このＡＶＤＤＭに対しての固有識別子からＡＶＤＤＭについて決定された固有の複数のデータエラー及び／又はフォーマット変更を組み込んだデジタルコンテンツデータと
を含むＡＶＤＤＭ。
【請求項２０】
フォーマット変更は、ＡＶＤＤＭに記録されたコンテンツのアイテム間の間隔の変更を含む、請求項１９に記載のＡＶＤＤＭ．
【請求項２１】
フォーマット変更は、ＡＶＤＤＭに記録されたコンテンツの１つ以上のデジタルデータセッションの長さの変更を含む、請求項１９又は２０に記載のＡＶＤＤＭ。
【請求項２２】
ＡＶＤＤＭに記録されたデジタルコンテンツデータのフォーマット及びコンテンツを記述した索引ファイルを更に含む、請求項１９から２１の何れかに記載のＡＶＤＤＭ。
【請求項２３】
デジタルコンテンツデータ中の固有の複数のデータエラー及び／又はフォーマット変更を識別するための著作権保護マップを更に含む、請求項１９から２２の何れかに記載のＡＶＤＤＭ。
【請求項２４】
著作権保護マップは、ＡＶＤＤＭのデータセッションに記憶されている、請求項２３に記載のＡＶＤＤＭ。
【請求項２５】
著作権保護マップは、ＡＶＤＤＭのオーディオセッションに記憶されている、請求項２３に記載のＡＶＤＤＭ。
【請求項２６】
著作権保護マップは、ＡＶＤＤＭのサブコードチャンネルに記憶されている、請求項２３に記載のＡＶＤＤＭ。
【請求項２７】
著作権保護マップは、複数の部分を含み、著作権保護マップの複数部分は、ＡＶＤＤＭの対応する複数のサブコードチャンネルに記憶されている、請求項２６に記載のＡＶＤＤＭ。
【請求項２８】
使用時に、著作権保護マップを、データエラー及び／又はフォーマット変更を組み込んだデジタルコンテンツデータと組み合わせ、データエラーを除去すること及び／又はフォーマット変更に適合することによってオリジナルで保護されていないデジタルコンテンツデータを生成するように構成されているコンバイナを更に含む、請求項２３から２７の何れかに記載のＡＶＤＤＭ。
【請求項２９】
コンバイナは、ＡＶＤＤＭから読み出される圧縮済みのデジタルコンテンツデータを圧縮解除するように構成されている、請求項２８に記載のＡＶＤＤＭ．
【請求項３０】
著作権保護マップは暗号化されており、コンバイナは、通信ネットワークを介して、固有識別子をリモートロケーションへ送信し、著作権保護マップを解読するための街解読キーを受信するように構成されている、請求項２９に記載のＡＶＤＤＭ。
【請求項３１】
デジタルコンテンツデータはデジタル透かしを含む、請求項１９から３０の何れかに記載のＡＶＤＤＭ。
【請求項３２】
ＡＶＤＤＭ（オーディオビジュアルデータ配布可能メディア）に記録されているデジタルコンテンツデータをユーザのロケーションにある再生装置へ転送する方法であって、
暗合化された固有のＡＶＤＤＭ識別子をＡＶＤＤＭから読み出すこと、
固有識別子をユーザのロケーションから中央サイトへ送信すること、
識別子を解読し、解読された識別子を用いて対応する解読キーを捜すこと、
その解読キーを中央サイトからユーザのロケーションへ送信すること、
その解読キーを用いてＡＶＤＤＭ上に設けられたデータエラー及び／又はフォーマット変更の暗合化著作権マップを解読すること、
データエラー及び／又はフォーマット変更を組み込むことによって著作権が保護されたデジタルコンテンツデータをＡＶＤＤＭから読み出すこと、
解読された著作権マップを用いてデジタルコンテンツデータから著作権保護を除去すること、及び
著作権保護のないデジタルコンテンツデータを再生装置へ記録することを含む方法。
【請求項３３】
ＡＶＤＤＭ（オーディオビジュアルデータ配布可能メディア）に記録されているデジタルコンテンツデータをユーザのロケーションにある再生装置へ転送する方法であって、
固有のＡＶＤＤＭ識別子をＡＶＤＤＭから読み出すこと、
固有識別子をユーザのロケーションから中央サイトへ送信すること、
固有識別子に関連する解読キーを中央サイトから受信すること、
その解読キーを用いてＡＶＤＤＭに関して設けられたデータエラー及び／又はフォーマット変更についての暗合化著作権マップを解読すること、
データエラー及び／又はフォーマット変更を含めることによって著作権が保護されているデジタルコンテンツデータをＡＶＤＤＭから読み出すこと、
解読された著作権マップを著作権保護されているデジタルコンテンツデータと組み合わせることによって著作権保護をデジタルコンテンツデータから除去すること、及び
著作権保護が除去されたデジタルコンテンツデータを再生装置へ記録することを含む方法。
【請求項３４】
著作権保護が除去されたデジタルコンテンツデータを、再生装置で再生するためのデータフォーマットに変換することを更に含む、請求項３３に記載の方法。
【請求項３５】
フォーマット化ステップが組み合わせステップを実行する装置上で行なわれる、請求項３４に記載の方法。
【請求項３６】
フォーマット化ステップが再生装置上で行なわれる、請求項３４に記載の方法。
【請求項３７】
再生装置が固有の識別番号を持ち、フォーマット化ステップは、その固有識別番号を持つ再生装置で再生するためにデジタルコンテンツデータをフォーマット化できるように構成されている、請求項３６に記載の方法。
【請求項３８】
再生装置が携帯電話であり、その固有識別番号が電話番号又は携帯電話の顧客識別子である、請求項３７に記載の方法。
【請求項３９】
フォーマット化ステップは、オリジナルのデジタルコンテンツデータを、従来のパーソナルコンピュータで再生するには適さないフォーマットに、該パーソナルコンピュータに記憶されているデジタルコンテンツデータのコピーから変換することを含む、請求項３４から３８の何れかに記載の方法。
【請求項４０】
暗号化済の著作権マップは、それをＡＶＤＤＭから読み出すことによって提供される、請求項３３から請求項３９のどれかに記載の方法。
【請求項４１】
暗号化済の著作権マップは、中央サイトから送信された該暗号化済の著作権マップを受信することによって提供される、請求項３３から３９の何れかに記載の方法。
【請求項４２】
記録ステップは、デジタルコンテンツデータを、ＡＶＤＤＭに記録されているデジタルコンテンツデータと同じオーディオ／ビジュアルデータ品質で再生装置へ記録することを含む、請求項３３から４１の何れかに記載の方法。
【請求項４３】
再生装置は、携帯電話を含み、送信及び受信ステップは無線通信ネットワークを通して行なわれる、請求項３３から４２の何れかにに記載の方法。
【請求項４４】
変換ステップは、オリジナルのデジタルコンテンツデータを暗号化することを更に含む、請求項３９又は請求項４０から４３の何れかに記載の方法。
【請求項４５】
変換ステップは、オリジナルのデジタルコンテンツデータの著作権保護を行なうことを更に含む、請求項３９又は請求項４０から４４の何れかに記載の方法。
【請求項４６】
請求項１から１７の何れかに記載の方法を実行するためのコンピュータプログラムを実行するように構成されたデータキャリア。
【発明の詳細な説明】
【技術分野】
【０００１】
本発明は、例えば、コンパクトディスク（ＣＤ）上のオーディオデータのデジタルデータ配信におけるセキュリティに関する改良に関する。本発明は、特に、動的に著作権が付けられたオーディオデータを携帯電話などのハンドヘルド装置へ配信する際のセキュリティを改良することに関するものであるが、これに限定されない。本発明は、例えば、料金を支払う消費者が選択したオーディオデータを、オーディオデータが記憶されたデータベースから取り出すことが可能なデータ合成装置の一部として採用される。
【背景技術】
【０００２】
著作権保護は。音楽業界、映画／ビデオ業界、コンピュータゲーム業界、コンピュータソフトウエア業界、又は製品をデジタル化できるその他の業界を含め、著作権に基づいている全ての業界にとって問題になってきている。問題の根源は、単一の製品（マスタと呼ばれる）が作られ、状況によってはそれが著作権で保護され、そして量産されることにある。そのため、マスタの全ての複製は、マスタと同一の著作権保護を持つ。真の問題は製品が量産されることである。何故ならば、製品が著作権で保護されていても、一旦著作権保護が危うくなると、量産された全ての製品も危うくなるからである。
【０００３】
映画／ビデオ業界では、ＤｅＣＳＳと呼ばれるソフトウエアによって、一般公衆がＤＶＤのリージョナルコードを削除又は変更することが可能になり、その結果、コンテンツの所有者の許可なしに、ＤＶＤを記録し配布することが可能になった。このソフトウエアが、現在、ＤＶＤ業界全体に対するリージョナル保護を危うくしている。当然、著作権保護は、ＤＶＤの仕様を書いたプログラマが、それを書いた時点で予測できる以上にはならない。世の中には何千人ものプログラマがいるので、ＤＶＤリージョナル保護が危うくなるのは時間の問題だった。
【０００４】
同様に、音楽業界においても、オーディオファイルをデジタル化し、圧縮し、インターネットやその他のネットワークを通して送信する能力がプライバシ問題を創りだした。これは、更に、アーティスト、ソングライタ、レコードレーベル及び出版社にロイヤリティを払わずに消費者がＣＤを複製する（又は「焼く」）ことが可能なＣＤレコーダの急増によって悪化してきた。このことが、メディア業界における著作権侵害のレベルの絶え間ない増加、及び著作権保護技術の向上に繋がった。世界での著作権侵害の有形面でのコストは、年間で２８億ポンドを超えると推定されている。昨年、約１２億枚のブランクのＣＤがヨーロッパだけで販売されたが、これは同期間に販売された音楽ＣＤの枚数の１．５倍である。
【０００５】
音楽業界の指摘によると、不法ダウンロード及びＣＤ焼増しによって、２００１年の米国におけるコンパクトディスクの売上が１０％減少した。米国レコード業界協会（ＲＩＡＡ）が公表した数字は、小売店へのＣＤ出荷枚数が、２０００年の１０億８０００万枚から２００１年の９億８８５８万枚へと減少したことを示している。ＲＩＡＡが行なった調査から、消費者のほぼ四分の一が、音楽を無料でダウンロード又はコピーをしているので、新しい音楽は購入しないと言っていることも分かった。
【０００６】
ＲＩＡＡが公表した数字によると、全ての音楽製品の出荷額は、２０００年の１４３億ドル（１００億３０００万ポンド）から２００１年の１３７億ドル（９６億ポンド）へ減少した。昨年の同様のＣＤ売上低下から、何人かの専門家は、この売上減少は、経済的要因及び音楽が弱い年だったことによる業界全体の不況であるとの推測をした。ＲＩＡＡ調査は、音楽を無料でダウンロードした音楽ファンの５０％以上がコピーを作成したのに対して、２年前には、ポータブル装置へ音楽をコピーしたり、ＣＤ焼付器（CD burner ）を使用したファンは１３％に過ぎなかったことも明らかにした。ＣＤ焼付器の所有は、１９９９年以来３倍になったことを同調査は明らかにした。
【０００７】
更なる問題は、消費者は、音楽を入手する方法、及び音楽を演奏できる装置についての選択の幅が広いことを希望していることである。消費者は、全体的には喜んで音楽にお金を払うが、曲を自分の携帯電話又はその他のハンドヘルド装置へ個人使用の目的でアップロードする選択肢を望んでいる。多くの消費者は、自分のコンピュータで再生するために曲をインターネットからダウンロードする。彼らはファイルをダウンロードして、ダウンロードしたファイルによって自分のＣＤを記録することは行わない。これはインターネット上のオーディオファイルの品質はＣＤ品質ではなく、また現状では、大部分の消費者にとって高品質のオーディオをダウンロードするにはインターネットが遅すぎるためである。
【０００８】
ダウンロード音楽がレコード会社に対して与える打撃を浮き彫りにしたのは、Ｎａｐｓｔｅｒなどのオンライン音楽サービスの驚くべき成功であった。Ｎａｐｓｔｅｒは最盛時には２５００万人以上のユーザを有していた。これは、著作権料の支払いに関する法的闘争においてレコード会社によって閉鎖させられたが、ピアツーピア技術を使用し、運用管理の集中拠点を必要としないで、オーディオデータファイル共有する、Ｋａｚａａ．ｃｏｍなどの類似サービスのホストを生み出した。レコード会社が乗り出した合法的な有料システムは未だ広まっていない。何故なら、多くのユーザは、インターネット上のどこかで好みのトラックの無料のコピー版を見つけることができるからである。
【０００９】
音楽ＣＤの売上低下をもたらした別の要因は、オーディオ再生機能をもつ携帯電話及びその他のハンドヘルド機器の使用である。レコード業界は、こうした機器の製造を停止させることはできないので、これらの機器メーカに対してライセンスが可能な適切な再生フォーマットの開発を望んでいる。現在まで、フォーマットが管理、或いは規格化されていないために可能でなかった。当然ながら、レコード業界は、より多くの一般公衆が音楽にアクセスすることを望むと共に、３Ｇ（第三世代）、インターネット、及び新しいハンドヘルド装置に参画することで、音楽への需要を増加させることを望んでいる。しかしながら、音楽のデジタル配信を許可しながら、既存のＣＤ販売事業のサポートも継続できる方法でこれを行なう必要がある。
【００１０】
インターネットの利用が増加しているにも拘らず、消費者の大多数が、未だに、音楽製品をミュージックストアやスーパーなどの小売拠点で購入している。興味深いことに、英国における音楽ＣＤの最大の購入層は２８才から３８才の間である。これらの消費者は、「現代」の音楽ＣＤを購入するだけでなく、十代、二十代の初めに聞いたアーティストのＣＤ、及び彼らの親の世代の音楽ＣＤも購入している。このため、小売業者がこれだけ広範囲の音楽ＣＤを在庫にしておくことが難しくなってきた。小売業者にとって幸いなのは、消費者が、便利さ、社会及び小売経験、価格、選択の幅、買いやすいなど多くの理由で小売拠点で購入することである。小売業者は絶えず彼らの店舗及びサービスを改装したり変更したりしているので、消費者が今後も小売店で購入し続けることは間違いない。
【００１１】
音楽業界が特に直面している問題及び本明細書で述べる発明の両方についての理解を助けるため、既知のオーディオＣＤフォーマットについて以下に簡単に説明する。オーディオＣＤフォーマットの詳細は、次のウエブサイトで見つけることができる。
ｗｗｗ．ｅｅ．ｗａｓｈｉｎｇｔｏｎ．ＥＤＵ／ＣＯＮＳＥＬＥＣ／ＣＥ／ＫＵＨＮ／ＣＤＡＵＤＩＯ２／９５Ｘ７．ｈｔｍ．
【００１２】
ＣＤ上のオーディオは最大で９９トラックに分割されている。各トラックは、長さが少なくとも４秒でなくてはならず、且つ、２秒のポーズをトラック間に挿入することができる。オーディオは、物理的に、間に無音部を介在させたトラックに分割されるか、２本以上のトラックに亘って連続している。トラックを一意的に識別するため各トラックにＩＳＲＣ（国際標準記録用コード）を含める必要がある。ＩＳＲＣは、下記の表に示す通り１２桁から成る。
【００１３】
【表１】
2005527058.tif 000003
【００１４】
個々のトラックは、更に、複数のインデックスに分割される。通常、１つのトラックは、０と１の２つのインデックスを含む。インデックス０は、トラックの始まりにおけるポーズ（通常２秒）をマークし、一方、インデックス１は、このトラックの主部分を識別する。
【００１５】
トラックのスタート時間は、目次（ＴＯＣ）によって定義される。ＴＯＣは、通常、各トラックの時間コード（分、秒、及び場合によってはフレーム）を含む。また、ＴＯＣは、トラックの種類を定義し、幾つかのＣＤフォーマットでは、トラックの種類は、オーディオ又はデータである。
【００１６】
主データチャンネル（オーディオ又はその他のデータを含む）に加えて、ＰからＷの標識が付けられた８つのサブコードチャンネルがＣＤ上の主チャンネルに組み込まれている。Ｐチャンネルは、各トラックの開始と終りを示す。Ｑチャンネルは、タイムコード（分、秒、及びフレーム）、ＴＯＣ、トラックの種類、及びカタログ番号などのプログラム及びタイミングについての大部分の情報を含む。チャンネルＲからＷは、主オーディオデータに付随するサブコードグラフィックス及びＣＤテキスト用である。
【００１７】
オーディオデータをＣＤに記録する場合、データはチャンネルごとに６つのサンプルに分割される。即ち、合計で（６ｘ２ｘ１６ビット）に分割される。このオーディオデータには、更にサブコードチャンネル及びパリティデータが追加される。これで合計３６バイトとなり、これがフレームと呼ばれ、９９個のフレームが組み合わされて１つのブロックになる。各データブロックは２３５２バイトを含み、そして１秒毎に７５個のデータブロックがＣＤから読み出される。
【００１８】
ＣＤプレーヤは、最初にＴＯＣを読まないとＣＤを読み出すことができない。これは、関連するデータを取り出すために読み出す必要があるコンピュータのハードディスクのブートファイルと類似している。新しいＣＤは、オーディオと、バンドビデオやウェブページなどの付加データとを含む。マルチセッションＣＤフォーマットの例が図１に示してある。このフォーマットは、２つのセッションを含む。それはオーディオセッション（ＡＳ）とデータセッション（ＤＳ）である。オーディオセッション（ＡＳ）は、リードインエリア（ＬＩＡ）のスタートにおいてＴＯＣにて開始される。リードインエリアの後にオーディオトラック（ＡＴ）（又は「曲」−これらの用語は互換的に使用される）が続く。図１に示す例では、１１のオーディオトラックがある。オーディオセッション（ＡＳ）は、ＣＤプレーヤにオーディオデータの終りを示すリードアウトエリア（ＬＯＡ）で終わる。データセッション（ＤＳ）は、リードインエリアで始まり、次にデータセッション（ＤＳＴ）及びリードアウトエリアが続く。オーディオ及びデータセッションは、リンクブロック（ＬＢ）で分離されている。データセッション全体は、ＴＯＣの中で１つのトラックと考えられる。
【００１９】
過去においては、ＣＤを違法に作成することは、高価な機械を購入する必要がある複雑なプロセスであった。今ではＣＤレコーダ（ＣＤＲＳ）の導入によって、一般の人が、正しいソフトウエアを使用すれば、パーソナルコンピュータ（ＰＣ）を使ってＣＤをコピーできるようになった。ＰＣを使用してＣＤをコピーするプロセスは、以下のように行なわれる。まず、ＣＤ上のデータが、ＷＡＶファイルなど別のフォーマットに変換される。次に、ＣＤのオーディオが抽出されて、ＷＡＶデータがＰＣのハードドライブに書き込まれる。このプロセスは「リッピング（ripping ）」として知られている。ＰＣのＣＤＲは、オーディオのリッピングにおいてより迅速になり、そのため、「リッピング用のソフトウエア」がますます流行し普及してきた。
【００２０】
ＷＷＷ．ＣＤＤＢ．ｃｏｍは、元々は、トラックとアーティスト名を人々に教えるのに使われたサービスであり、ＣＤを再生しながら、それらの詳細を各自のＰＣに表示できるようにしたものである。不法にリッピングした歌に名前を付けカタログ化する著作権侵害者は、最近、このサービスや類似サービスを頻繁に使用している。このような種類のオンラインデータベースは、特定のアーティストのＣＤを識別する手段として使われている目次（各トラックの開始点と終了点）により何百万枚のＣＤの詳細を保有している。
【００２１】
ＣＤがリッピングされた場合、リッパ−ソフトウエアは、ＣＤＤＢのようなサービスにコンタクトできる。コピーしているＣＤのＴＯＣのマップが読み込まれ、ＣＤＤＢへ送信される。ＣＤＤＢによってＣＤが識別できない場合、リッパ−ソフトウエアは、ユーザにそのＣＤのトラック及びアーティストの詳細を入力するよう求める。そのＣＤが既にＣＤＢＢへ入力されている場合、ＣＤＤＢは、データベースをクエリーし、同じＴＯＣマップを捜す。リッパ−ソフトウエアは、次に、正しいトラック及びアーティストの詳細のリストを送信する。ＣＤの全ての詳細を自動的にユーザのＰＣへコピーできる便利さが著作権侵害を増長してきた。
【００２２】
標準的なＣＤプレーヤ内の電子回路は、ＣＤレコーダのものと相違しており、多くの会社は、この「違い」をＣＤ著作権保護の基本として使用してきた。現在制作されている殆どの音楽ＣＤは、前述した通り、オーディオセッションとデータセッションを含む、マルチセッションフォーマットになっている。各種のエラーをオーディオ及び／又はデータセッションへ挿入することによって、ＣＤＲ内の高度の読取り電子回路を騙してエラーオーバーロードにし、ＣＤの読取りを拒否することが可能になる。ＣＤのサブコードにエラーがある場合の一般に知られているコピー保護方式においては、ＣＤＲ自身は、ＣＤの「読取り拒否」を行なわず、読取りソフトウエアがそのＣＤの読取り継続を拒否する。多くのＣＤ読取りソフトウエアプログラムは、エラーを含むデータを読込むことを続けるように設定することが可能であるが、読込まれた結果のデータにはエラー（通常はギャップ）も含まれている。
【００２３】
標準的なＣＤオーディオプレーヤは、このような高度な読取り電子回路を備えておらず、内蔵回路を使用してデータ内のエラーを無視している。標準的ＣＤオーディオプレーヤは、エラーをＣＤの表面に存在している可能性のあるキズと見なし、これを無視してオーディオを再生する。このようなエラーは、オーディオデータ内のエラー、セクタヘッダ及びコンテンツの表示間違い、目次レコード内又はＣＤ上のどこかにあるエラーを含み得る。これらのエラーは、異常な（malformed ）サブコード情報又はサブコードエラーの場合もあり得る。これらは、大きさが不適切に決められたセクタやサブチャンネル情報である場合もある。ＣＤのデータセッション（又は付加セッション）内の異常なＴＯＣが標準的オーディオプレーヤのＣＤの読取りを妨げることはない、これは、大部分のオーディオプレーヤが、いずれの場合にも、ＣＤの最初のセッションだけを読むからである。但し、今や標準的なオーディオハードウエアでも利用可能なより新しいＣＤプレーヤは、マルチセッションＣＤを再生できるようになっていることに留意すべきである。
【００２４】
現在、ＣＤＤＢ上のＣＤを識別するのに、オーディオセッションだけが使われる。但し、何社かのメーカは、著作権保護の手段として、エラーを高品質オーディオに取り入れて、ＰＣのＣＤＲでそれらが読み出されることを防止し始めたが、ＣＤＤＢへの可能性のある拡張は（現在では実施はされていないが）、これらのエラーのマップ及びＴＯＣを記憶することである。著作権侵害者が著作権で保護されたＣＤをリッピングすることを望む場合、その侵害者のリッピング装置がＣＤＤＢへアクセスして、著作権で保護されているＣＤ上の全てのエラー及びそれらの位置に関するリストを受信することができる。この情報を使用して、著作権保護ＣＤのリッピングを速くすることができる。より良い著作権保護を実施するための方法が見つかるまでは、オンラインで容易にアクセスできるデータベースにエラーのマップを記憶することは潜在的な脅威になる。
【００２５】
ＰＣを使用して音楽を再生する多くの顧客について、幾つかの会社は、ＣＤのデータセッションに低品質のＰＣオーディオファイル（ＰＣオーディオプレーヤと一緒に）を置くと共に、エラーをオーディオデータに導入する必要があることを発見した。これは、消費者はＰＣでは低品質のオーディオだけしか聴くことができないことを意味する。こうした仕組みがＣＤの「リッピングやコピー」をより難しくし、著作権侵害者に対し、より遅くより高度なソフトウエアの使用を強いている。Ｍａｃｒｏｖｉｓｉｏｎ社やＭｉｄｂａｒ社などの会社は、エラーをオーディオデータの中に入れるアイデアを告知し、それらを著作権保護機構の一部として使用してきた。但し、エラーはマスタＣＤに適用されるため、当然、各子ＣＤのエラーも同一になる。残念ながら、これらの著作権保護機構を除去するソフトウエアがインターネット上に既に現れてきている。このための最も広く使われている方法の１つは、「ＲＡＷ法」と呼ばれ、この方法では、ＣＤデータは、完全に生の（raw）バイナリデータとしてハードドライブにコピーされる。これはＣＤの「クローニング」と呼ばれ、オリジナルＣＤと全く同一のＣＤを作り出す。このオリジナルＣＤが著作権保護を有している場合、クローンされたＣＤも著作権保護を有していることになる。スキャンがなされた後、ＲＡＷのＣＤデータが解析され、エラーは除去又は訂正される。そのＣＤは、著作権保護機構を用いないで再記録される。
【００２６】
ＣＤ及びその他ＡＶＤＤＭ（オーディオビデオ配布可能メディア）の店内制作が既に開始されており、Ｖｉｒｔｕａｌ  Ｍｕｓｉｃ  Ｓｔｏｒｅｓ社（ＶＭＳ）などの会社が、小売店に注文アルバムシステム（bespoke album system）を設置している。ＶＭＳのシステムについては、知られている通り、本出願人の共に係属中の国際特許出願ＷＯ０１／３７２７５に詳述されている。音楽ＣＤは、レコード会社によってＶＭＳへ供給される。これらのＣＤはデジタル化され、暗号化され、中央サーバ（Ｎｅｘｕｓサーバ）に保持され、且つ、各小売拠点にあるデータベースにも保持される。
【００２７】
ＶＭＳのシステムは、記憶されている歌のコレクションから希望する歌をユーザが選択できるよう設定するものである。顧客の選択は、ネットワーク接続を介して店内仮想処理プラント（ＶＰＰ）へと送信される。ＶＰＰは目的の歌を見つけ、ＣＤロボットにブランクのＣＤをＣＤレコーダに置くよう指示し、その歌をそのＣＤへレコードし、次に、そのＣＤカバーにその歌の詳細をＣＤ自身と共に印刷する。歌が小売拠点内において入手できない場合には、その歌はＮｅｘｕｓサーバからはダウンロードされる。希望する歌は、顧客が待っている間に、ＣＤへ記録されるか、別の場所でＣＤに記録されてメールでその顧客の家に送信されるか、その店の中で顧客が待っている間にハンドヘルド機器へダウンロードされるか、顧客のコンピュータへ直接ダウンロードされてそのＣＤレコーダへ記録されるか、或いは、顧客のコンピュータのハードディスクへ保護フォーマットでダウンロードされる。このサービスは、現在、小売業者が店内でＣＤシングル及びアルバムを制作できるように拡大されている。
【発明の開示】
【発明が解決しようとする課題】
【００２８】
本発明の目的は、動的な著作権保護方法を提供することである。本発明の別の目的は、上記の欠点を少なくとも１つ克服する動的な著作権保護方法を提供することである。本発明の更なる目的は、消費者が高品質オーディオをハンドヘルド機器／携帯電話にアップロードできるようにすると同時に、ＣＤの小売業者が小売販売を維持できるようにする動的な著作権保護方法を提供することである。本発明の更なる目的は、動的に著作権保護されたデータを読取るための方法を提供することである。
【課題を解決するための手段】
【００２９】
本発明の第１の様相によれば、デジタルコンテンツデータをＡＶＤＤＭ（オーディオビジュアルデータ配布可能メディア）へ記録するための方法が提供され、この方法は、固有識別子をＡＶＤＤＭに割当てること、その固有識別子を用いてＡＶＤＤＭに固有のデジタルコンテンツデータの中の複数のデータエラー及び／又はフォーマット変更を生成すること、及びデータエラー及び／又はフォーマット変更を組み込んだデジタルコンテンツデータを記録することを含む。
【００３０】
この方法は、著作権保護をデジタルコンテンツデータに対して動的に適用するため、動的著作権保護方式と呼ぶ。
【００３１】
固有の識別子が各ＡＶＤＤＭに割当てられ、この固有識別子を使用してデジタルコンテンツデータのデータエラー及び／又はフォーマット変形の固有パターンが生成されるので、本発明の方法を使って動的に著作権が付けられる各ＡＶＤＤＭは固有のものになる。従来のＡＶＤＤＭは、マスタコピーを使って生成されるため、該マスタから創りだされるＡＶＤＤＭは全て同一であり、ＣＤＤＢなどのサービスは、この事実に基づいてＡＶＤＤＭを識別する。本発明がもたらす利点は、生成されたＡＶＤＤＭが全て固有であるという事実に在り、そのため、ＣＤＤＢなどのサービスが、データエラー及び／又はフォーマット変更のパターンを製品の識別子として使うことは不可能である。
【００３２】
データエラー及び／又はフォーマット変更を含んだデジタルコンテンツデータは、この固有識別子と共にＡＶＤＤＭに記録されることが望ましい。これの利点は、本発明の方法を使って記録されたＡＶＤＤＭを固有識別子を用いて識別することが可能になることである。この方法が、例えば、小売店において実行される場合には、この固有識別子を使ってＡＶＤＤＭを制作した店、及び、従ってそのＡＶＤＤＭが合法的に制作されたか否かを判別することが可能である。
【００３３】
フォーマット変更は、ＡＶＤＤＭに記録されたコンテンツのアイテム間の間隔の変更を含む。ＣＤを例に挙げれば、オーディオデータトラックの始まり及び／又は終りにある無音部を変えることができる。それに替え、又はそれに加えて、オーディオデータトラック間の無音部を変えてもよい。これらの無音部を追加すると、ＣＤ全体の長さが変わってくるので、ＴＯＣが生成されるときに、ＴＯＣ内のトラックスタート時間が変わる。或いは、ＴＯＣ内のトラックスタート時間は、ＣＤ上の実際のデータを変更することなく、ＴＯＣを変更することによって変えることができる。この種類のフォーマット変更は、全てのＣＤが異なるオーディオＴＯＣレコードを有するため、ＣＤの著作権保護を助け、且つ、ＣＤＤＢなどのサービスがＴＯＣを製品の識別子として使うことが不可能になる。ＣＤＤＢは、本発明の著作権保護方式を含んだ製品では（それがＣＤであれ、他のＡＶＤＤＭであれ）機能しない。
【００３４】
使用するステップは、固有の識別子を擬似乱数発生器へシードとして入力すること、及びレコーディングのステップで使うランダムなデータエラー及び／又はフォーマット変更のセットを生成するステップを含むことが望ましい。
【００３５】
乱数を使って、ＣＤ（又は他のＡＶＤＤＭ）のオーディオセッション又はＴＯＣにおける種々のエラーの生成し、ＣＤＲ（又は他の適当なリーダ）でＣＤが再生されるのを防止することもできる。固有識別子を使って可変のエラーが発生されるので、２つのＡＶＤＤＭが同一の位置にエラーを有しないことが保証される。これは、ユーザがＣＤをリッピングするのを阻止する。
【００３６】
それに加え（又はそれに替え）、フォーマット変更は、ＡＶＤＤＭ上に記録されたコンテンツの一以上のデジタルデータセッションの長さを変更することを含む。乱数を用いて可変サイズのデータファイル、又はデジタルデータセッションに追加されるファイルを少なくとも１つ生成する。例えば、アーティストの詳細、曲名、トラック時間及びその他の詳細は、可変サイズのデータファイル又は追加ファイルへ書き込まれる。これにより、ＣＤＤＢなどのサービスが、製品の識別子としてＣＤ（又は他のＡＶＤＤＭ）のデータセッションのサイズを使うことを防止する。また、顧客は、ＣＤＤＢなどのサービスの使用を必要とすることなく、ＡＶＤＤＭからアーティストの名前及びトラックの詳細の全てにアクセスできるようになる。
【００３７】
本方法には、ＡＶＤＤＭに記録されるデジタルコンテンツデータのフォーマット及びコンテンツを記述した索引ファイル（オーディオＣＤの場合のＴＯＣなど）を編集することを含むことが望ましい。そして、この索引ファイルは、ＡＶＤＤＭに記録されることが望ましい。
【００３８】
本方法は、更に、デジタルコンテンツデータの固有の複数のデータエラー及び／又はフォーマット変更を識別する著作権保護マップを生成することを含む。著作権保護マップは、オリジナルデータ内に置かれたエラーの位置、又はオリジナルデータのどの部分が変更されたかを含む。或いは、著作権保護マップは、ＡＶＤＤＭからの実際の欠落情報とその欠落情報の発生した場所に関する詳細とを含む。そして、著作権保護マップは、ＡＶＤＤＭに記録することができる。このようにして作成された著作権保護マップの利点は、デジタルコンテンツデータのデータエラー及び／又はフォーマット変更がＡＶＤＤＭごとに固有なので、得られる著作権保護マップもＡＶＤＤＭごとに固有である。そのため、これはＣＤＤＢなどのサービスが著作権保護マップを使ってＡＶＤＤＭを識別することを防止する。
【００３９】
著作権保護マップは、複数のデータエラー及び／又はフォーマット変更のリストを作成するための複数の作成ルーチンを含むことができる。
【００４０】
著作権保護マップに加えて、コンバイナプログラムもＡＶＤＤＭに記録することができる。コンバイナプログラムは、データエラー及び／又はフォーマット変更を組み込んだデジタルコンテンツデータを著作権保護マップと組み合わせ、データエラーの除去及び／又はフォーマット変更の吸収によって、オリジナルのデジタルコンテンツデータを発生するように構成されているのが有利である。コンバイナプログラムは、ＡＶＤＤＭからの著作権保護済データを、セクタ毎に、著作権保護マップと、望ましくは実質的に同時に組み合わせることによって、デジタルコンテンツデータの保護されていないコピーをユーザが利用できないことを保証する。
【００４１】
コンバイナプログラムは、生成されるオリジナルのデジタルコンテンツデータを再生装置に特有で、且つ、該装置でサポートされているデータフォーマットに変換するように構成されていることが望ましい。例えば、データフォーマットは、ＷＡＶフォーマット、又は「業界承認」フォーマットなどのその他の適切なフォーマットである。再生装置という用語は、オーディオデータを記憶して再生する装置だけでなく、オーディオ演奏機能を持った別の装置へ後で転送が可能なオーディーデータを記憶できる任意の装置を指す。
【００４２】
コンバイナプログラムは、オリジナルのコンテンツデータを従来型のパーソナルコンピュータで、該パーソナルコンピュータにコンテンツデータを記憶することなく再生するように構成することができる。これの利点は、コンテンツデータは、そのコンテンツの所有者の許可なくしてＡＶＤＤＭへコピーできない、即ち、コンテンツデータの違法コピーが防止されることである。
【００４３】
固有識別子は、暗号化してからＡＶＤＤＭに記録することが望ましい。著作権保護マップは、暗号化してからＡＣＤＭＭに記録することができる。固有識別子及び／又は著作権保護マップの暗号化は、後での使用のために記憶しておいた暗号化キーを使って行なうことが望ましい。著作権保護マップの暗号化は、更に、セキュリティに対する付加レイヤを提供する。
【００４４】
デジタルコンテンツデータは、デジタルコンテンツデータをＡＶＤＤＭへ記録する前に、圧縮アルゴリズムを使って圧縮してもよい。
【００４５】
本発明の第２の様相によれば、上記の方法を使って生成されるＡＶＤＤＭ（オーディオビジュアルデータ配布可能メディア）が提供される。
【００４６】
本発明の第３の様相によれば、ＡＶＤＤＭ（オーディオビジュアルデータ配布可能メディア）であって、ＡＶＤＤＭに対しての固有識別子と、ＡＶＤＤＭに対しての固有識別子からＡＶＤＤＭについて決定された、固有の複数のデータエラー及び／又はフォーマット変更を組み込んだデジタルコンテンツデータとを含むＡＶＤＤＭが提供される。
【００４７】
前記の通り、著作権保護マップは、ＡＶＤＤＭのデータセッション、オーディオセッション、又はサブコードチャンネルに記憶される。著作権保護マップは、いくつかの部分に分割され、各部分は夫々別々のロケーションに記憶される。従って、例えば、著作権保護マップの半分はＱチャンネルに、他の半分はＲチャンネルに夫々記憶することができる。この利点は、著作権保護マップをＡＶＤＤＭから抽出することをより難しくできることである。
【００４８】
ＡＶＤＤＭから読み出された圧縮済デジタルコンテンツデータは、そのＡＶＤＤＭ上に記憶されているコンバイナ手段によって圧縮解除される。
【００４９】
著作権保護マップが、暗号化形式になっている場合は、コンバイナ手段を、通信ネットワーク経由で固有識別子を遠隔地へ送信し、著作権マップを解読するための（暗号）解読キーを受信するように構成することができる。これにより、著作権保護機構に対するセキュリティレベルが上がり、正しいＡＶＤＤＭ（及び違法にコピーされたものでないＡＶＤＤＭ）を所有している許可されたユーザだけしか著作権マップを解読できないことが保証される。
【００５０】
ＡＶＤＤＭに記憶されているデジタルコンテンツデータは、デジタル透かしを含んでいてもよい。ＡＶＤＤＭのデータコンテンツ（従って、ＡＶＤＤＭ自体）を一意的に識別することを可能にする詳細をデジタル透かしの中に設けることが望ましい。デジタル透かしを使う利点は、例えば、ＣＤのデータセッションに存在する固有識別子によって与えられる保護が、オーディオセッションに対しても与えられ得ることである。オーディオセッションとデータセッションが分離されている場合、オーディオファイルが何処から生成されたかを判定することが依然として可能である。このセキュリティ機能は、（ＣＤの枚数が多いので）、製造された全てのＣＤに対して均一に監視することは難しいが、抑止効果はもたらされる。また、枚数は少ないものの価値が高い最初のリリース及び販売促進用ＣＤに対して、コピーされたオーディオ（又は、その他）データのソースを判別することが可能になる。
【００５１】
本発明の第４の様相によれば、ＡＶＤＤＭ（オーディオビジュアルデータ配布可能メディア）に記録されたデジタルコンテンツデータをユーザのロケーションにある再生装置へ転送するための方法が提供され、この方法は、暗号化された固有ＡＶＤＤＭ識別子をＡＶＤＤＭから読み出すこと、その固有識別子をユーザのロケーションから中央サイトへ送信すること、この識別子を解読し、解読した識別子を用いて対応する解読キーを捜すこと、その解読キーを中央サイトからユーザのロケーションへ送信すること、解読キーを用いてＡＶＤＤＭに設けられたデータエラー及び／又はフォーマット変更についての暗号化著作権マップを解読すること、データエラー及び／又はフォーマット変更を含めることにより著作権保護がなされたデジタルコンテンツデータを、ＡＶＤＤＭから読み出すこと、解読された著作権マップを用いて著作権保護をデジタルコンテンツデータから外すこと、及び著作権保護のないデジタルコンテンツデータを再生装置へ記録することを含む。
【００５２】
本発明の第５の様相によれば、ＡＶＤＤＭ（オーディオビジュアルデータ配布可能メディア）上に記録されたデジタルコンテンツデータをユーザのロケーションにある再生装置へ転送するための方法が提供され、この方法は、固有ＡＶＤＤＭ識別子をＡＶＤＤＭから読み出すこと、その固有識別子をユーザのロケーションから中央サイトへ送信すること、その固有識別子に関連する解読キーを中央サイトから受信すること、解読キーを用いてＡＶＤＤＭに関して設けられたデータエラー及び／又はフォーマット変更についての暗号化著作権マップを解読すること、データエラー及び／又はフォーマット変更を含めることにより著作権保護がなされたデジタルコンテンツデータをＡＶＤＤＭから読み出すこと、解読された著作権保護マップを著作権保護されたデジタルコンテンツデータと組み合わせてデジタルコンテンツデータから著作権保護を除去すること、及び、著作権保護が外されたデジタルコンテンツデータを再生装置へ記録することを含む。
【００５３】
この方法は、更に、著作権保護が外されたデジタルコンテンツデータを再生装置での再生用のデータフォーマットに変換するためのステップを含むことが望ましい。データの違法コピーを防ぐには業界が承認したフォーマットを使用すべきであるが、このステップでは任意の適切なデータフォーマットが利用できる。デジタルコンテンツデータのフォーマット、サイズ及び品質を決定するために再生装置で利用可能なメモリのサイズを用いてもよい。
【００５４】
変換ステップは、フォーマット化データが再生装置へアップロードされるときに、フォーマット化データの暗号化及び／又は動的著作権保護を行うことを含むことができる。
【００５５】
フォーマットを行なうステップは、組合せるステップを実施する装置上で実行されることが望ましい。或いは、フォーマットを行なうステップは、再生装置自体で行なわれてもよい。
【００５６】
再生装置が固有の識別番号を持っていてもよく、この場合には、フォーマットを行うステップは、該固有識別番号を持つ再生装置上での再生のためにデジタルコンテンツデータをフォーマットするように構成することができる。
【００５７】
再生装置が携帯電話であってもよく、この場合には、固有識別番号が電話番号又はその携帯電話の顧客識別子である。そして、送信及び受信ステップは無線通信ネットワークを介して実行される。
【００５８】
フォーマットを行なうステップは、パーソナルコンピュータに記憶されているデジタルコンテンツデータのコピーから、オリジナルのデジタルコンテンツデータを、従来のパーソナルコンピュータで再生するのに適さないフォーマットに変換することを含む。
【００５９】
暗号化著作権マップは、ＡＶＤＤＭから暗号化著作権マップを読み出すことによって提供することができる。或いは、中央サイトから伝送される暗号化著作権マップを受信することによって提供することができる。
【００６０】
記録ステップは、ＡＶＤＤＭに記録されているデジタルコンテンツデータと同一のオーディオ／ビジュアルデータ品質でデジタルコンテンツデータを再生装置へ記録することを含む。
【００６１】
コンバイナプログラムは、データがどこへ転送されるかを監視するコードを含むことができ、データが（再生装置ではなく）ＰＣのハードドライブへ転送される場合には、コンバイナプログラムは、著作権保護マップを著作権保護されたデータと組み合わせない。これによって、ＡＶＤＤＭの違法コピーを防ぐためのセキュリティのレベルを向上できる。
【００６２】
本発明の上記の方法を実施するように構成されたコンピュータプログラムを含むデータキャリアも提供される。
【発明を実施するための最良の形態】
【００６３】
本発明の現段階での望ましい実施形態を下記の図面を参照して説明するが、これは例示に過ぎない。
【００６４】
ここで図２を参照すると、本発明の第１、第２、及び第３の実施形態を実施するために使用する、システム１０（以降、ＶＭＳシステムと呼ぶ）が示されている。ＶＭＳシステム１０は、ユーザ３４へ、テキスト、オーディオ、ビデオ及びグラフィックスなど全ての種類のオーディオービジュアルコンテンツを配信することができる。本実施形態においては、ＶＭＳシステム１０は、ユーザ３４が希望する曲を選択できるようにし、次に、その希望曲を、ユーザ３４に与えられるＣＤ３２に記録する。顧客は、ハイストリート端末又はインターネット経由でＶＭＳシステム１０へアクセスできる。
【００６５】
図２に示す通り、ＶＭＳ１０システムは、リモートサーバ１４（以降、「ＶＰＰサーバ」と呼ぶ）へ接続された、中央に位置する認証サーバ１２（以降、「Ｎｅｘｕｓサーバ」と呼ぶ）を含む。この例のＶＰＰサーバ１４は、小売店に配置され、双方向暗号化衛星リンク１６を介してＮｅｘｕｓサーバ１２に接続されている。ＡＤＳＬ、又はその他の種類のブロードバンドアクセスを利用して小売店をＮｅｘｕｓサーバ１２にリンクできる。或いは、接続１６は、別の種類の無線接続、又は、銅線又はケーブルＴＶ接続であってもよい。
【００６６】
ＶＰＰサーバ１４は、例えば、ＴＣＰ／ＩＰ（即ち、伝送制御プロトコル／インターネットプロトコル）接続２０を介して、データベース１８へ接続される。データベース１８は、デジタル化オーディオデータ２２及びアーティスト及びトラックの詳細などの他の関連データ４８を記憶する。オーディオデータ２２は、データベース１８に記憶される曲、シングル及びアルバムごとのＴＯＣ４６を含む。ＶＰＰサーバ１４は、データをＣＤ３２へ記録するためのＶＰＰソフトウエア２４を含む。ＶＰＰサーバ１４は、著作権保護マップメーカ４２（以降、「ＣＰＭメーカ」と呼ぶ）によって動的著作権保護も行なう。ＣＰＭメーカ４２は、擬似乱数／乱数発生器７２を含む。ＶＰＰサーバは、標準的パーソナルコンピュータ２６（ＰＣ）及び、ブランクＣＤをＣＤレコーダ（図示されていない）に置くＣＤロボット２６ａに接続される。或いは、ＶＰＰサーバ１４とＰＣ２６を単一のユニットにまとめることができる。
【００６７】
ＶＰＰソフトウエア２４は、ＣＤロボット２６ａと、ＣＤのジャケットを印刷するカラープリンタ２６ｂとを、及び、ＣＤ３２の表面に印刷するＣＤプリンタ２６ｃを制御する。ＣＤロボット２６ａ、カラープリンタ２６ｂ、及びＣＤプリンタ２６ｃは、全て小売店に配置されている。
【００６８】
Ｎｅｘｕｓサーバ１２は、ＣＤ識別子３６（ＣＩＤ）の集合、複数のパブリック暗号キー３８及び複数のプライベート暗号キー４０を含む。Ｎｅｘｕｓサーバ１２は、デジタル化オーディオデータ２２及び関連データ４８を含む。ＶＰＰサーバ１４に接続されているデータベース１８は、Ｎｅｘｕｓサーバ１２と同一のオーィオデータ２２（及び、関連データ４８）を含んでいてもよく、又は、このデータ２２、４８のサブセットんでいてもよい。このようにして、小売店は、その店で利用可能な店内の音楽コレクションを対象するする顧客に合わせると共に、必要なデータベースのスペースを減らすことができる。
【００６９】
ユーザ３４が、ＶＭＳデータベース１８及び／又はＮｅｘｕｓサーバ１２に記憶されているオーディオデータ（即ち「曲」）２２のコレクションをブラウズできるようにするため、ＶＭＳコンソール２８が小売店に設けられる。ＶＭＳコンソール２８は、ＴＣＰ／ＩＰ接続３０を介してＶＰＰサーバ１４へ接続されている。
【００７０】
次に、動的に著作権が付けられたＶＭＳＣＤ３２が作成される、本発明の第１、第２及び第３の実施形態について述べる。
【００７１】
図３を参照すると、本発明の第１、第２及び第３の実施形態を実施するための方法３００の概要が示されている。方法３００は、ユーザ３４が、ステップ３１０でＶＭＳコンソール２８を使ってＶＭＳデータベース１８及び／又はＮｅｘｕｓサーバ１２から曲２２を選択することで開始される。次に、ユーザ３４は、ステップ３１２において、選んだ曲２２を記憶するＣＤ３２の支払いを小売店のキャッシュデスクで行なう。ユーザ３４がＣＤ３２の支払を済ませて、且つこの事実がＮｅｘｕｓサーバ１２へ連絡されると、固有ＣＤ識別子（ＣＩＤ）３６がステップ３１４で該Ｎｅｘｕｓサーバによって生成される。この例では、ＣＩＤ３６は、ＣＤ３２を作成した小売店のコード、日付／時刻スタンプ、及びＣＤ３２に割当てられた番号を含む。ＶＭＳシステム１０によって作成される各ＣＤに対して別々のＣＩＤ３６が生成される。次に、ＣＩＤ３６（又は、その暗号化バージョン３７）がステップ３１６においてＮｅｘｕｓサーバ１２へ記憶される。次に、著作権保護マップ４４が、ステップ３１８において、ＣＰＭメーカ４２によって生成される。著作権保護マップ４４は、その後、ステップ３２０において曲コレクションのオーディオデータ２２、及び必要ならば、関連データ４８へ適用される。
【００７２】
オーディオデータに追加されるデジタル透かし５０を使うことによって、著作権を保護するための追加のレイヤーが設けられる。このような透かし５０は、従来の透かし検出ソフトウエアによって検出が可能ではあるが、リスナには感知できない。透かしが必要とされる場合、透かし５０を含めるためのオーディオデータ２２の変更を行なうオプションのステップ３２１が実行される。固有の透かし５０（セントラルリサーチラボラトリ社のデジタル透かしなど）が、ＣＤの識別を可能にするため各ＣＤ３２に付けられる。次に、著作権保護付のオーディオデータ２３が、ステップ３２２において、ＣＤ３２のオーディオセッション６８へ書き込まれる。
【００７３】
ステップ３２０及びステップ３２２は、「データスプレ」として知られている方法を使って、実質的に同時に行なわれる。これにより、ＣＤ全体の仮想コピーは絶対に存在しなくなり、且つ、そのために、許可を得ていない者が盗んでコピーすることはできないことが保証される。データスプレは、本出願人の共に係属中の国際特許出願ＷＯ０１／３７２７５に説明されており、その内容は本明細書の一部を構成するものとしてここに援用する。
【００７４】
ある状況においては、ＣＤ３２に書き込まれるデータの一部を暗号化することが必要である。これは、レコード会社がその自社の曲をＶＭＳシステム１０で使用することを許可する条件であろう。暗号化が必要な場合（ステップ３２３で決定される通り）、Ｎｅｘｕｓサーバ１２は、ステップ３２４において、第１のパブリックキー３８を使ってＣＩＤ３６を暗号化し、この暗号化済ＣＩＤ３７を後で使うために保存する。次にＣＰＭ４４は、ステップ３２６において、第２のパブリックキー３８を使って暗号化される。次に、この暗号化済ＣＩＤ（「ＥＣＩＤ」と呼ばれる）及び暗号化済ＣＰＭ４５（「ＥＣＰＭ」と呼ばれる）が、ＣＤ３２のデータセッション７０へ書き込まれる。暗号化が不要な場合には、ステップ３２４からステップ３２８までは実行されない。その代わりに、未暗号化ＣＩＤ３６及びＣＰＭ４４が、ステップ３３０において、ＣＤ３２のデータセッション７０へ書き込まれる。
【００７５】
ＣＤ３２をＰＣのＣＤＲで再生できるようにするために、適切なソフトウエアが、ステップ３３１において、ＣＤ３２のデータセッション７０へ書き込まれる。このソフトウエアは、ＶＭＳプレーヤ５２（図４ａを参照）の形式をとり、ＣＰＭ４４をＣＤ３２上の著作権保護付データと組み合わせるためのコンバイナプログラム５４を含む。組み合わせの手順については、後で詳細に説明する。この他のデータ４８（アーティスト及びトラックの詳細など）は、ステップ３３２において、ＣＤ３２のデータセッション７０へ書き込まれる。
【００７６】
全てのデータがＣＤ３２へ書き込まれると、ＣＤラベル（図示されていない）が、ステップ３３４において、カラープリンタ２６ｂによって印刷され、又、テキスト及び／又はイメージがＣＤプリンタ２６ｃによってＣＤ３２自身に印刷される。次に、完成したＣＤ３２は、ステップ３３６において、ユーザ３４に提示される。得られたＣＤが図４ｂに示されている。
【００７７】
方法３００の特定ステップについては、Ｎｅｘｕｓサーバ１２、ＶＰＰサーバ１４の何れかによって実行されるものとして説明したが、ＶＰＰサーバ１４がＮｅｘｕｓサーバアプリケーション（図示されていない）を実行してもよいことは分かるであろう。衛星リンク経由のＮｅｘｕｓサーバ１２とＶＰＰサーバ１４との間の情報通信は全て自動的に行なわれ、ユーザ３４には知らされない。従って、例えば、固有ＣＩＤ３６は、実際には、ＶＰＰサーバ１４で稼動するＮｅｘｕｓサーバアプリケーションによって生成され、且つＣＩＤ３６は、この後、中央のＮｅｘｕｓサーバ１２へ自動的に送信され記憶される。
【００７８】
上記の方法３００のステップ３１８と３２０は種々の方法で実行できる。本発明の第１の実施形態では、各オーディオトラック２２（即ち曲）の最初、終り、及びトラック間の内の１つ（又は複数）の箇所の無音部が変更される。次に、図５ａを参照して、本発明の第１の実施形態における方法４００について説明する。
【００７９】
イントロダクションで議論した通り、マルチセッションＣＤのオーディオセッションは、目次４６（ＴＯＣ）を含む。シングル及びアルバムがデジタル化されてＮｅｘｕｓサーバ１２へコピーされる場合、そのシングル／アルバムについてのＴＯＣ４６が抽出されて、後で使うために、サーバ１２及び／又はＶＭＳデータベース１８へ保存される。個々の曲２２がデジタル化され、Ｎｅｘｕｓサーバ１２へ保存される場合、トラックの長さが、後で使うために、サーバ１２及び／又はＶＭＳデータベース１８へ保存される。
【００８０】
方法３００のステップ３１４とステップ３１６において固有ＣＩＤ３６が生成され保存された後、ＣＩＤ３６はＣＰＭメーカ４２へ渡される。ユーザ３４が、アルバム全体を自分のＣＤ３２へコピーすることを望む場合、ＣＰＭメーカ４２は、ステップ４１０において、そのアルバム用のＴＯＣ４６をＶＭＳデータベース１８から取り出す。ＶＭＳデータベース１８がそのアルバムを保持していない場合、ＶＰＰサーバ１４は、Ｎｅｘｕｓサーバ１２と連絡をとり、記憶しているＴＯＣ４６のコピーを要求する。次にＴＯＣ４６は、衛星リンク１６経由でＶＰＰサーバ１４へ送信される。ユーザ３４が曲のコレクションを要求した場合、ステップ４１０において、ＶＭＳシステム１０によって記憶された曲２２の長さを使って、ＴＯＣ４６が生成される。
【００８１】
次に、ＣＰＭメーカ４２は、ステップ４１２において、ＣＰＭ４４を生成する。これは、固有ＣＩＤ３６を擬似乱数／乱数発生器７２へ渡し、且つ、そのＣＩＤをシードナンバとして用いて乱数又は擬似乱数を発生することによって行なう。乱数又は擬似乱数を使って、ＴＯＣ４６で指定される無音部の長さを変える。ユーザ３４は、３つの曲２２（又は「トラック」）を収録した古いローリングストーンのＥＰを選択したとすると、このＥＰはＣＤでは入手できない。これらの３つのトラックについてのＴＯＣ４６は、このＥＰがデジタル化されたときに、ＶＭＳシステム１０によって記憶され、以下のように現れる。
【００８２】
【表２】
2005527058.tif 000004
【００８３】
上記の表において、最初のカラムはトラック番号を指定し、２番目のカラムはトラックの開始時間を指定する。従って、最初のトラックは、オーディオデータの開始から２秒超で始まる。乱数又は擬似乱数を用いてＴＯＣ４６からのタイムピリオドに対して加算（又は、減算）を行う。最初のトラックについてＣＰＭメーカ４２が発生したランダムなタイムピリオドは、第１トラックに対しては０．０５秒であり、第２トラックと第３トラックに対しては０．１秒であるとする。ＣＰＭ４４は下記の時間を発生する。
【００８４】
【表３】
2005527058.tif 000005
【００８５】
本方法の次のステップは、ステップ４１４において、上記ＣＰＭ４４をＴＯＣ４６に適用して以下の変更済ＴＯＣ４７を与えることを含む。
【００８６】
【表４】
2005527058.tif 000006
【００８７】
その後、この固有ＴＯＣ４６は、ステップ４１０において、ＣＤ３２のオーディオセッションへ書き込まれる。最後に、３つのオーディオトラック２２が、ステップ４１８において、ＣＤ３２へ書き込まれる。次に、前記の通り、本方法３００のステップ３２４〜３３４又はステップ３３０〜３３４が行われる。
【００８８】
特定のＣＤ３２に対して生成されたＣＩＤ３６は固有であるため、発生される各擬似乱数／乱数も固有であり、従って、得られる変更済ＴＯＣ４７も固有である。ＣＤＤＢなどのサービスは、変更済ＴＯＣ４７を、例えば、ローリングストーンのＥＰを識別するための製品識別子として使うことが不可能になるので、ＣＤ３２の著作権保護の助けとなる。オリジナルのＴＯＣ４６に対して行なう変更に必要な時間は、作成されるＣＤ３２毎に識別できる程度に変更済ＴＯＣ４７が異なり、同じローリングストーンのＥＰが記録されたＶＭＳシステム１０で作成された他のＣＤは異なる変更済ＴＯＣ４７を有することを確実にする数１０ミリ秒の長さでよい。又、上記の変更は、データ自身には行なう必要はなく、変更済ＴＯＣ４７を作成するためにＴＯＣ４６の関連部分にのみ適用することもできる。本発明のこの実施形態が一旦実施されると、ＣＤＤＢサービスは、ＶＭＳ製品では機能しなくなる。
【００８９】
次に、本発明の第２の実施形態を実施すための方法４８０について、図５ｂを参照して説明する。この実施形態では、各種のエラーがオーディオデータ２２及び／又はＴＯＣ４６に対して適用される。本発明の第１の実施形態の場合のように、選択されたアルバム又はシングルについてのＴＯＣ４６は、ステップ４６２において、ＶＭＳデータベース１８（又はＮｅｘｕｓサーバ１２）から取り出される。ユーザ３４が曲の選択を要求すると、ＴＯＣ４６がステップ４８２において生成される。次に、ＴＯＣ４６は、ステップ４８４において、ＣＤ３２のオーディオセッション６８へ書き込まれる。
【００９０】
次に、ＣＰＭメーカ４２は、ステップ４８４において、固有ＣＩＤ３６から固有ＣＰＭ４４を生成する。これは、ＣＩＤ３６を擬似乱数／乱数発生器７２へ渡すことによって行なわれる。乱数又は擬似乱数を発生させるのに、ＣＩＤ３６がシード番号として使用される。前述の通り、このステップは、ＶＰＰサーバ１４によって実行されるものとして説明したが、実際には、Ｎｅｘｕｓサーバ１２によって行なうことができ、乱数／擬似乱数は衛星接続１６経由でＶＰＰサーバ１４へ渡される。
【００９１】
乱数／擬似乱数は、ＣＤ３２のオーディオセッション６８で生成されるエラーのランダムな位置を指定するのに使用される。例えば、乱数は、０から１へ、１から０へ、のいずれかに変わるオーディオデータ２２の各ビットを指定する。本方法４８０のステップ４８４は、変更されたビットの位置のリストをＣＰＭ４４が記憶することも含む。それに従って、ステップ４８８において、ＣＰＭ４４で指定されたオーディオデータ２２の各ビットが変更される。次に、ＴＯＣ４６が、ステップ４８８において、ＣＤ３２へ書き込まれ、最終的に、修正された（即ち、著作権保護された）オーディオデータ２３が、ステップ４９０において、ＣＤ３２のオーディオセッション６８へ書き込まれる。次に、前述の通り、本方法３００のステップ３２４からステップ３３４、又は、ステップ３３０からステップ３３４が実行される。
【００９２】
固有ＣＩＤ３６を用いてオーディオデータ２２の中のランダムな位置にエラーを発生させるので、この種類の著作権保護を含むＶＭＳシステム１０によって作成される各ＣＤ３２も固有である。結果として、著作権侵害者は、エラーマップのデータベースを使ってＣＤを識別することはできない、従って、ＶＭＳのＣＤ３２は、ＭａｃｒｏｖｉｓｉｏｎやＭｉｄｂａｒで著作権保護したＣＤと同じ方法でリッピングすることはできない。更に、本発明のこの実施形態は、従来のオーディオＣＤプレーヤでは再生できるが、ＰＣのＣＤＲでは再生できず、従って、簡単にコピーされることがないオーディオデータを有するＣＤ３２を提供する。これは、オーディオＣＤプレーヤがオーディオデータの中のエラーをＣＤ３２の表面の傷として解釈し、且つ、それに応じてエラーの修正を適用するためである。ＰＣのＣＤＲはオーディオデータのエラー修正は行なわないので、このエラーを聴き手は一連のクリック音又はジャンプとして聴こえるか、及び／又は、ＣＤＲはＣＤ３２の再生を完全に拒否する。
【００９３】
本方法４８０は、ランダムなエラーをＴＯＣ４６に適用すると共に（又はそれに替えて）、オーディオデータ２２自体にエラーを適用するのに用いることができる。この場合も、ＣＤＤＢなどのデータベースサービスがＣＤを識別するためにエラーマップを記憶させなくても良いという効果がある。何故なら、ＶＭＳシステム１０で作成された各ＣＤ３２は固有のエラーパターンを有しているためである。
【００９４】
次に、本発明の第３の実施形態を実施すための方法４５０について、図５ｃを参照して説明する。第１及び第２の実施形態の場合のように、ＴＯＣ４６が、ステップ４６０において、ＶＭＳデータベース１８（又はＮｅｘｕｓサーバ１２）から取り出（又は、生成）される。次に、ＣＰＭメーカ４２は、ステップ４６２において、固有ＣＩＤ３６を、擬似乱数／乱数発生器７２への入力用のシード番号として用いて固有ＣＰＭ４４を生成し、これによって擬似乱数／乱数を発生する。擬似乱数／乱数を使って、ステップ４６４において、ＣＤ３２のデータセッションへ記録される（前にその他のデータと呼んだ）データファイル４８のサイズを決定する。データファイル４８は、ブランクのままにしておくか、アーティスト及びトラックの詳細を記録するのに使う。このデータファイル４８がブランクのままならば、擬似乱数／乱数によって指定されるサイズのブランクデータファイル４８がステップ４６６において生成される。アーティスト及びトラックの詳細を含んだデータファイルが既に存在する場合には、ステップ４６６は、このファイルのサイズを、擬似乱数／乱数で指定される通りに変更することを含む。これは、例えば、数１０ミリ秒の無音部をデータファイル４８へ追加することによって行なわれる。次に、ＴＯＣ４６は、ステップ４６８において変更され、データファイル４８の変更済のサイズを反映する。最後に、本方法４５０の最後のステップ４７０において、オーディオデータ２２がＣＤ３２のオーディオセッションへ書き込まれ、データファイル４８がこのＣＤのデータセッション７０へ書き込まれ、そして変更済ＴＯＣ４７がＣＤ３２のオーディオセッション６８へ書き込まれる。
【００９５】
データセッション７０の長さが、オーディオトラックとしてＴＯＣ４８に含まれるので、固有のサイズのデータファイル４８を有するＣＤ３２は、データセッションのスタートポイントとエンドポイントがＣＤごとに固有なので、固有のＴＯＣを作成する。このことは、ＣＤＤＢなどのデータベースサービスが、ＣＤを識別するためにデータファイル４８のサイズを使用しないようにできるので、著作権保護の助けになる。本発明のこの実施形態は、ユーザ３４が、ＣＤＤＢを使うことなく、ＣＤ３２に記録されているアーティスト及びトラックの詳細へアクセスすることも可能にする。
【００９６】
以上で、著作権保護されたＣＤ３２を作成する方法４００、方法４５０及び方法４８０について説明したが、次に、ＣＤ３２をＰＣで読み出す２つのローカル（即ち、非ネットワーク的）方法１００及び方法１２０のについて、図５と図６を参照して説明する。従来のオーディオＣＤプレーヤは、本発明の第１、第２、及び第３の実施形態を使って実施される著作権保護を取り入れたＶＭＳ  ＣＤを再生することができる。しかしながら、ＰＣのＣＤＲを使ってＣＤ３２を読むには、専用ソフトウエア５２と５４が必要である。著作権保護されたＣＤを再生するためのシステム７４を図８に示す。システム７４は、例えば、赤外線、ブルートゥース（Bluetooth （登録商標））、無線、ＵＳＢ、又はその他の適切な接続を介してハンドヘルド装置６０へ接続されたＰＣ７６を含む。
【００９７】
図６を参照すると、著作権保護されたＣＤ３２を読むための第１の方法１００は、ユーザ３４がステップ１０２においてＣＤ３２をＰＣのＣＤＲへ挿入し、それによりＶＭＳプレーヤ５２を自動的に起動することによって開始される。次に、ユーザ３４は、ステップ１０４において、ＶＭＳプレーヤに表示されている再生ボタン６２をクリックする。次に、コンバイナプログラム５４（ＶＭＳプレーヤソフトウエアの一部を構成している）が、ステップ１０５において、ＲＡＭの著作権保護されたデータの第１セクタをＣＤ３２から読み出す。次に、コンバイナプログラム５４が、ステップ１０６において、ＣＰＭ４４の関連部分をＣＤ３２から読み出す。次に、ＲＡＭの著作権保護されたデータの第１セクタが、ステップ１０８において、（必要ならば）ＣＰＭ４４の関連部分と組み合わされて、オリジナルで著作権で保護されていないオーディオデータ２２を形成する。次に、ＣＤオーディオデータの「組み合わせ済の」（即ち、オリジナルの）第１セクタが、ステップ１１０において、サウンドカード又はオーディオシステムに直接渡され、ＰＣオーディオシステムを介して再生される。コンバイナは、ステップ１１１において、ＣＤから読み出すべきデータが未だ残っているかどうかをチェックする。データがあれば、コンバイナプログラム５４は、ステップ１１２において、次のデータセクタを取得する。全てのデータがＣＤ３２から読み出されるまでステップ１０６〜１１２が繰返される。この方法１００は、別の低品質のＰＣオーディオファイルを必要としないという効果を有する。また、このデータスプレ方法を使用してオーディオデータが再生されるので、ユーザは、著作権保護がなされていないデータの完全なバージョンを利用できない。
【００９８】
コンバイナプログラム５４が著作権で保護されたデータをＣＰＭ４４と組み合わせる方法は、当然、ＣＤ３２に対して適用される著作権保護の種類に依って異なる。例えば、ＣＤ３２の著作権保護されたオーディオデータ２２がランダムなエラー（本発明の第２の実施形態によって実施される様な）を含む場合、ＣＰＭ４４は、これらのエラーの位置のリストを含む。ＣＤ３２がＶＭＳプレーヤ５２で再生されている間、コンバイナプログラム５４は、ＣＰＭ４４が指示する位置にあるエラーを、そのデータがサウンドカード／オーディオシステムに渡される前に修正する。エラーの修正は、オリジナルの著作権で保護されていないデータ２２のコピーを保存することなく、リアルタイムで行なわれる。
【００９９】
また、ＶＭＳプレーヤ５２は、図７に示す第２の方法１２０を用いて著作権で保護されたＣＤ３２からハンドヘルド装置６０へデータをアップロードするために使用することもできる。ユーザ３４は、ステップ１２２において、ＣＤ３２をＰＣのＣＤＲへ挿入すると、ＶＭＳプレーヤ５２は自動的に作動する。次に、ユーザ３４は、ＶＭＳプレーヤ５２に表示される「曲のアップロード」ボタン６４をクリックする。
【０１００】
次に、コンバイナプログラム５４は、ステップ１２５において、ＲＡＭの著作権保護データの第１セクタをＣＤ３２から読み出す。次に、コンバイナプログラム５４は、ステップ１２６において、ＣＰＭ４４の関連部分をＣＤ３２から読み出す。次に、ＲＡＭの著作権保護データの第１セクタが、ステップ１２８において、（必要ならば）ＣＰＭ４４の関連部分と組み合わされて、オリジナルで、著作権で保護されていないオーディオデータ２２が形成される。次に、ＣＤオーディオデータの「組み合わせ済の」（即ち、オリジナルの）第１セクタは、ステップ１３０において、ハンドヘルド装置６０へ直接アップロード可能なフォーマットに変換される。フォーマット化済のデータは、ステップ１３２において、ハンドヘルド装置６０へアップロードされる。コンバイナは、ステップ１３３において、ＣＤから読み出すべきデータが未だ残っているかどうかをチェックする。データがあれば、コンバイナプログラム５４は、ステップ１３４において、次のデータセクタを取得する。ＣＤから全てのデータが読まれて、ハンドヘルド装置６０へアップロードされるまでステップ１２６〜１３４が繰返される。このようにして、高品質の１６ビット４４ｋＨｚのオーディオデータが、ＶＭＳプレーヤ５２を介して、ハンドヘルド装置６０へアップロードされる。
【０１０１】
上記の方法１００及び方法１２０は、ユーザ３４のいかなる認証をも必要としない解決策を提供する。従って、登録やフォームへの記入を行うことなく、ユーザは、ＣＤ３２を購入して、各自のハンドヘルド装置６０へアップロードすることかできる。方法１００と方法１２０は、著作権保護フォーマットをハンドヘルド装置で使えるようにすることによって、これらの装置を購入する顧客の支持及び顧客の受けをよくすることも可能になる。携帯電話を介して曲を直接ダウンロードするためのコストがあまり高くなくなってきたとき、顧客は、各自のＣＤを介して曲をアップロードすることから、ネットワーク認証方法へと容易に脱皮することができる、これは、動的な著作権保護を実施するより確実な方法となる。顧客が自分でＣＤのＲＡＭデータを著作権保護マップを組み合わせることができない限り、ＣＤを自分のコンピュータへコピーし、それを再生することはできないし、顧客が著作権保護の仕組みを壊そうとする場合でも、特定の１枚のＣＤだけについてできるだけである。
【０１０２】
但し、オーディオデータをハンドヘルド装置６０へアップロードの前に実行すべき認証プロセスを設けることで、より強力な著作権保護システムを提供できる。この認証プロセスは、暗号化されたＣＩＤ３６をＮｅｘｕｓサーバ１２へ送信するこにによって行なわれる。次に、暗号化されたＣＩＤ３６は、データベースアクセスキーとして使われ、ＶＭＳシステム１０が提供する機能及びサービスへのアクセスを取得できる。
【０１０３】
図９を参照すると、認証プロセスを実行し、且つ著作権保護ＣＤ３２からハンドヘルド装置６０へデータをアップロードするためのネットワーク方法５００が示されている。方法５００は、ステップ５０２において、ユーザ３４がＣＤ３２を自分のＰＣのＣＤＲに挿入すると始まり、そしてＶＭＳプレーヤ５２が自動的に始動する。次に、ユーザ３４は、ＶＭＳプレーヤ５２が表示する「ＶＭＳへ接続」ボタン６４をクリックする。ＶＭＳプレーヤ５２は、Ｎｅｘｕｓサーバ１２へ接続し、次に、ステップ５０６において、暗号化されたＣＩＤ３７をこのサーバ１２へ送信する。Ｎｅｘｕｓサーバ１２は、ＥＣＩＤ３７を、適切なプライベートキーを使って解読し、ステップ５０８において、ＣＩＤ３６を認証する。認証ステップは、ユーザ３４から受信したＣＩＤ３６を、Ｎｅｘｕｓサーバ１２に記憶されているＣＩＤ３６のリストと対比することにより行なわれる。受信されたＣＩＤ３６が記憶されているＣＩＤの１つに一致した場合、Ｎｅｘｕｓサーバ１２は、ＣＤ３２がＶＭＳシステム１０を使って生成されたこと、及び、このＣＤが購入されたものであることを「知る」。ＣＩＤ３６（従って、ＣＤ３２）が本物ならば、Ｎｅｘｕｓサーバ１２は、ステップ５１０において、ＥＣＰＭ４５を解読するための適切なプライベートキー４０を、ＶＭＳプレーヤ５２へ送信する。次に、ＥＣＰＭ４５は、ステップ５１２において、コンバイナソフトウエア５４によって解読されて、オリジナルのＣＰＭ４４へ与えられる。これは、例えば、後で使うためにユーザのＰＣに記憶される。
【０１０４】
次に、コンバイナプログラム５４は、ステップ１２５において、ＲＡＭ著作権保護データの第1セクタをＣＤ３２から読み出す。次に、コンバイナプログラム５４は、ステップ５１４において、記憶済ＣＰＭ４４の関連部分を読み出す。次に、ＲＡＭ著作権保護データの第1セクタは、ステップ５１６において、（必要ならば）ＣＰＭ４４の関連部分と「組み合わされ」、オリジナルで、著作権で保護されていないのオーディオデータ２２を形成する。次に、ＣＤオーディオデータの「組み合わされた」（即ち、オリジナルの）第１セクタは、ステップ５１８において、ハンドヘルド装置６０へ直接アップロード可能なフォーマットに変換され、そしてこのフォーマット化済データは、ステップ５２０において、ハンドヘルド装置６０へアップロードされる。コンバイナは、ステップ５１２において、ＣＤから読み出すべきデータが未だあるかどうかをチェックする。データがあれば、コンバイナプログラム５４は、ステップ５２２において、次のデータセクタを取得する。ＣＤ３２から全てのデータが読まれて、ハンドヘルド装置６０へアップロードされるまでステップ５１４〜５２２が繰り返される。
【０１０５】
上記の方法５００を用いてオーディオデータをＮｅｘｕｓサーバ１２からユーザのハンドヘルド装置６０へ直接、転送することができる。例えば、ステップ５０６の中で、ＶＭＳプレーヤは、携帯電話６０を介してＮｅｘｕｓサーバ１２へ接続し、これにより、暗号化されたＣＩＤが、ユーザのＰＣから彼の携帯電話６０へ、そして、Ｎｅｘｕｓサーバ１２へと送信される。次に、ステップ５０８が上記のように実施される。しかしながら、ステップ５１０において、解読キー４０は、直接ユーザの携帯電話６０へ送信され、これにより、このユーザのＰＣ上のＶＭＳプレーヤへと送信されるため、暗号化済のＣＰＭ４５の解読が可能になる。
【０１０６】
動的に著作権保護されたＣＤを読んで、アップロードするための更なる方法においては、コンバイナプログラム５４は、実際に、携帯電話６０にインストールされる。暗号化済のＣＰＭ４７が、ＰＣから携帯電話６０へ送信されるので解読が可能になる。次に、Ｎｅｘｕｓサーバ１２からの著作権保護済データを、電話６０へ直接ダウンロードして解読済ＣＰＭと組み合わせることが可能である。このようにして、本物のＣＤ３２を所有しているユーザは、そのＣＤを使って、Ｎｅｘｕｓサーバ１２へのアクセスを行い、追加の歌又はアーティストの情報をダウンロードする。これが、ユーザが、ＣＤを友達又はインターネットからコピーするより、適法のＣＤを購入するよう仕向けるインセンティブを提供する。
【０１０７】
要約すると、本発明は、ＶＭＳシステム１０で作成される製品（それがＣＤであるかその他のＡＶＤＤＭであるかに関わらず）は全て異なる、即ち、その製品が量産されることはないという事実に基づいている。これは、店内の販売地点での制作によって、又はＣＤ製造工場でＣＤＲを使用することによって可能になる。このようして制作される製品は、標準的なＣＤプレーヤ又はＰＣで再生可能である。顧客は、自分の音楽を携帯電話又はその他のハンドヘルド装置へアップロードすることができる。ＣＤ上の全帯域オーディオは、著作権で保護されたオーディオを著作権保護マップと組み合わせてオリジナルで著作権で保護されていないデータを作成することによって、アクセスされ、使用される。ハンドヘルド装置へデータをアップロードする場合、オーディオの品質は、そのハンドヘルド装置のメモリ又はハードドライブのサイズによってのみ制限される。その顧客がブロードバンドへアクセスを有している場合、自宅で著作権で保護されたＣＤを作成するために動的著作権保護を使用できない理由は何も無い。
【０１０８】
本発明の幾つかの実施形態について述べたが、これらの実施形態は例示に過ぎないこと、及び適切な技能と知識を有する者が思いつくような変形及び変更は、添付の請求項に記載した発明の精神及び範囲から逸脱することなく行ない得ることが分かるであろう。例えば、オーディオＣＤの動的著作権保護について述べたが、ＤＶＤ（及び、対応するフォーマット）などの他の適切なＡＶＤＤＭが、本発明を使用して、動的に著作権保護され、且つ読まれ得ることが分かるであろう。本発明は、他の適切なＣＤフォーマットに対しても適用される。例えば、トラックのスタートタイムを変更すると共に、それに応じてＴＯＣを調節する方法は、データセッションを持たない旧式の（レッドブック）ＣＤに対して行なうことができる。
【０１０９】
ＣＤ（又は他のＡＶＤＤＭ）自体が著作権保護マップ（暗号化済又暗号化されていない）のコピーが含むのではなく、コンバイナプログラムが、著作権保護マップ発生ルーチン（図示されていない）を含んでもよい。そのため、ユーザがＣＤをＣＤＲに挿入すると、ＶＭＳプレーヤが自動的に始動されるのに加え、コンバイナプログラム５４はＣＰＭ生成ルーチンを実行して、ＣＰＭをリアルタイムに生成する。コンバイナプログラム内に含まれているＣＰＭ発生ルーチンは、ＶＰＰサーバ１４が提供するルーチンと同一であろう。ＣＰＭは、固有のＣＩＤを使って、ＶＰＰサーバ１４で生成されるので、コンバイナで実行されるＣＰＭ発生ルーチンは、ＣＩＤを入力として取得する。つまり、ＣＰＭ発生ルーチンは、ＣＩＤを使って、ＶＰＰサーバ１４でＣＰＭを生成するのに使われた著作権保護方法の特定の組合せを識別するのである。
【０１１０】
更に、オーディオデータを携帯電話へアップロードすることに関してのみ説明したが、こうしたデータを、パーソナルデジタルアシスタント（ＰＤＡ）、ポータブルハードドライブ、又は、オーディオ又はビジュアルデータを記憶及び／又は再生する機能をもつその他の装置など、その他のポータブル式装置へアップロードできることが分かるであろう。
【図面の簡単な説明】
【０１１１】
【図１】マルチセッションＣＤフォーマットの概略図である。
【図２】本発明の第１、第２、及び第３の実施形態の実施に適したシステムのダイアグラムである。
【図３】本発明の本発明の第１、第２、及び第３の実施形態に従った、動的に著作権保護されたＣＤを作成するためのプロセスの全体を示す流れ図である。
【図４ａ】ＶＭＳプレーヤの概略図である。
【図４ｂ】図３に示された方法を使用して作成された動的に著作権保護されたＣＤの概略図である。
【図５ａ】本発明の対応する第１の実施形態を実行するための詳細ステップを示す流れ図である。
【図５ｂ】本発明の対応する第２の実施形態を実行するための詳細ステップを示す流れ図である。
【図５ｃ】本発明の対応する第３の実施形態を実行するための詳細ステップを示す流れ図である。
【図６】本発明の第１、第２及び／又は第３の実施形態を使用して生成された動的に著作権保護されるＣＤを読み出すための第１の方法を示す流れ図である。
【図７】第１、第２及び／又は第３の実施形態を使用して生成された動的に著作権保護されるＣＤを読み出し、そして、そのデータをハンドヘルド装置へアップロードするための第２の方法を示す流れ図である。
【図８】図７及び図８に示す方法を実施するためのシステムの概略図である。
【図９】著作権保護されたＣＤを認証し、認証されたＣＤを読み出し、そして読み出したデータを、ハンドヘルド装置へアップロードするための、本発明の任意の実施形態での使用に適したネットワーク方法のステップを示す流れ図である。
【図１】
2005527058.tif 000007
【図２】
2005527058.tif 000008
【図３】
2005527058.tif 000009
【図４ａ】
2005527058.tif 000010
【図４ｂ】
2005527058.tif 000011
【図５ａ】
2005527058.tif 000012
【図５ｂ】
2005527058.tif 000013
【図５ｃ】
2005527058.tif 000014
【図６】
2005527058.tif 000015
【図７】
2005527058.tif 000016
【図８】
2005527058.tif 000017
【図９】
2005527058.tif 000018
【国際調査報告】
2005527058.tif 000019
2005527058.tif 000020
2005527058.tif 000021
2005527058.tif 000022